(57)【要約】【課題】悪戯や応対したくない来訪者による呼出に応対することで住戸人が受ける迷惑を低減したインターホンシステムを提供する。【解決手段】ドアホン子器１は、呼出釦の押操作を検出する呼出検知部１２と、呼出検知部１２が検出信号を出力するとインターホン親機２に呼出信号を出力する伝送部１１と、呼出釦に設けられて呼出釦を押操作する指の指紋を検出する指紋検出部１３とを備え、伝送部１１は指紋検出部１３の検出した指紋情報をインターホン親機２に送信する。インターホン親機２は、ドアホン子器１から呼出信号が入力されると音声入出力部２４から呼出音を鳴動させる制御部２２と、来客通知を禁止する人物の指紋情報が登録された記憶部２３と、ドアホン子器１から送信された指紋情報を記憶部２３に登録された指紋情報と照合し、一致した場合に音声入出力部２４による通知動作を停止させる訪問者判別部２２ａとを備える。【選択図】図１
2008135881.tif 000002
【特許請求の範囲】
【請求項１】
ドアホン子器とインターホン親機とを備え、ドアホン子器側に、呼出釦と、呼出釦が押操作されると呼出信号を出力する呼出信号出力手段と、呼出釦に設けられて呼出釦を押操作する指の指紋を検出する指紋検出手段とを設けるとともに、インターホン親機側に、呼出信号が入力されると住戸人に対して来客を通知する来客通知手段を設け、
ドアホン子器又はインターホン親機の何れかに、指紋情報が登録された記憶手段と、指紋検出手段により検出された指紋情報を記憶手段に登録された指紋情報と照合し、一致した場合に来客通知手段による通知動作を停止させる指紋認証手段とを設けたことを特徴とするインターホンシステム。
【請求項２】
前記ドアホン子器側に、前記呼出釦の押操作時に訪問者の画像を撮像する撮像手段と、撮像手段の撮像した映像信号を前記インターホン親機側へ送信する映像信号伝送手段を設けるとともに、前記インターホン親機側に、映像信号伝送手段から送信された映像信号を表示する表示手段と、登録操作に応じて前記映像信号を前記指紋検出手段が検出した指紋情報と関連付けて前記記憶手段に記憶させる指紋情報登録手段を設けたことを特徴とする請求項１記載のインターホンシステム。
【発明の詳細な説明】
【技術分野】
【０００１】
本発明は、インターホンシステムに関するものである。
【背景技術】
【０００２】
従来、一般の住戸などで、玄関先に設置されるドアホン子器と、住戸内に設置されるインターホン親機とを組み合わせて構成されているインターホンシステムが導入されている。ドアホン子器は、呼出釦や、スピーカおよびマイクからなる音声入出力部などを備えている。一方、インターホン親機は、通話釦や、スピーカおよびマイクからなる音声入出力部などを備えている。
【０００３】
ここで、訪問者がドアホン子器の呼出釦を押操作すると、ドアホン子器からインターホン親機に呼出信号が送信される。インターホン親機では、ドアホン子器から呼出信号を受信すると、音声入出力部から呼出音を鳴動させて、住戸人に来客を通知する。この呼出音を聞いた住戸人が、インターホン親機の通話釦を押操作すると、インターホン親機がドアホン子器との間の通話回線を開き、音声通話が行えるようになっている。
【０００４】
また、この種のインターホンシステムとして、ドアホン子器の呼出釦に、訪問者の指紋を検出する指紋検出手段を設け、検出された指紋情報と、予め登録してある指紋情報との認証を行うことによって、訪問者の種別に応じた応答メッセージで訪問者に応答したり、訪問者の種別によって呼出音を変更するようにしたものも従来提案されている（例えば特許文献１参照）。
【特許文献１】特開２０００−３４１４２０号公報
【発明の開示】
【発明が解決しようとする課題】
【０００５】
上述のインターホンシステムでは、来客の種別に応じて呼出音を変更しているだけなので、ドアホン子器の呼出釦を押して逃げるような悪戯が行われた場合、その都度、インターホン親機から呼出音が鳴動されてしまい、住戸人は悪戯が行われる度に訪問者の確認をしなければならなかった。また、悪質な訪問販売員などが頻繁に来訪して呼出釦を何度も押操作した場合、その都度呼出音が鳴動するため、住戸人に不快感を与えてしまうという問題もあった。
【０００６】
本発明は上記問題点に鑑みて為されたものであり、その目的とするところは、ドアホン子器の呼出釦を押して逃げる悪戯や悪質な訪問販売員などに応対することで住戸人が受ける迷惑を低減したインターホンシステムを提供することにある。
【課題を解決するための手段】
【０００７】
上記目的を達成するために、請求項１の発明は、ドアホン子器とインターホン親機とを備え、ドアホン子器側に、呼出釦と、呼出釦が押操作されると呼出信号を出力する呼出信号出力手段と、呼出釦に設けられて呼出釦を押操作する指の指紋を検出する指紋検出手段とを設けるとともに、インターホン親機側に、呼出信号が入力されると住戸人に対して来客を通知する来客通知手段を設け、ドアホン子器又はインターホン親機の何れかに、指紋情報が登録された記憶手段と、指紋検出手段により検出された指紋情報を記憶手段に登録された指紋情報と照合し、一致した場合に来客通知手段による通知動作を停止させる指紋認証手段とを設けたことを特徴とする。
【０００８】
請求項２の発明は、請求項１の発明において、ドアホン子器側に、呼出釦の押操作時に訪問者の画像を撮像する撮像手段と、撮像手段の撮像した映像信号をインターホン親機側へ送信する映像信号伝送手段を設けるとともに、インターホン親機側に、映像信号伝送手段から送信された映像信号を表示する表示手段と、登録操作に応じて映像信号を指紋検出手段が検出した指紋情報と関連付けて記憶手段に記憶させる指紋情報登録手段を設けたことを特徴とする。
【発明の効果】
【０００９】
請求項１の発明によれば、指紋認証手段が、呼出釦の押操作時に指紋検出手段が検出した指紋情報と、記憶手段に登録されている指紋情報との照合を行い、一致した場合は来客通知手段による通知動作を停止させているので、ドアホン子器からの呼出に応答したくない人物の指紋情報を記憶手段に登録しておけば、この人物が呼出釦を押操作したとしても、来客通知手段による来客通知を行わせないようにすることができ、ドアホン子器の呼出釦を押して逃げる悪戯や、悪質な訪問販売員などに応対することで住戸人が受ける迷惑を低減できるという効果がある。
【００１０】
請求項２の発明によれば、住戸人が、表示手段に表示された訪問者の映像を見て、来客通知を行わせたくない訪問者と判断した場合は、指紋情報登録手段の登録操作を行うことによって、この訪問者の映像信号とその指紋情報とを関連付けて記憶手段に登録させることができるので、指紋情報を取得したり登録する手間が簡単で、使い勝手の良いシステムを実現できるという効果がある。
【発明を実施するための最良の形態】
【００１１】
本発明の実施の形態を図１〜図４に基づいて説明する。
【００１２】
本実施形態のインターホンシステムは、図１および図２に示すように、玄関先に設置されるドアホン子器１と、住戸内に設置されるインターホン親機（以下、親機と略称す。）２とを２線式の信号線Ｌ１によって接続して構成される。
【００１３】
ドアホン子器１は、親機２との間で音声信号および映像信号を多重伝送により伝送する伝送部１１と、呼出釦１２ａ（図２参照）の押操作を検知する呼出検知部１２と、呼出釦１２ａの操作面に設けられて呼出釦１２ａを押操作する指の指紋を検出する従来周知の指紋検出部１３と、マイクロホンおよびスピーカを有する音声入出力部１４と、マイクロホンから出力される音声信号の増幅や親機２から信号線Ｌ１を介して送られてくる音声信号の増幅等を行う音声処理部１５と、ＣＣＤのような個体撮像素子とレンズなどの光学系を有して訪問者を撮像するカメラ部（撮像手段）１６と、カメラ部１６から出力される映像信号に対して画像処理を行うとともに画像処理された後の映像信号を周波数変調する映像処理部１７とを備え、音声処理部１５および映像処理部１７は例えばマイクロコンピュータの演算機能により実現される。
【００１４】
伝送部１１では、音声処理部１５から出力される音声信号（ベースバンド信号）に周波数変調された映像信号（以下、「ＦＭ映像信号」と呼ぶ）を多重化し、信号線Ｌ１を介して親機２へ送信するようになっており、映像信号伝送手段としての機能を有している。また伝送部１１は、呼出検知部１２から検知信号が入力されたときにオンするスイッチ（図示せず）を有しており、検知信号が入力されるとこのスイッチをオンさせることで、信号線Ｌ１の線間電圧を変化させるなどして親機２に呼出信号を送出するようになっている。ここに、伝送部１１と呼出検知部１２とで呼出信号出力手段が構成される。
【００１５】
一方、親機２は、ドアホン子器１との間で音声信号とＦＭ映像信号とを多重伝送により伝送する伝送部２１と、マイクロコンピュータを主構成要素とする制御部２２と、指紋情報を記憶する記憶部２３と、制御部２２の演算機能により実現され、ドアホン子器１から送信された指紋情報と記憶部２３に登録された指紋情報とを照合することで訪問者を判別する訪問者判別部（指紋認証部）２２ａと、マイクロホンおよびスピーカを有する音声入出力部２４と、音声入出力部２４から入力する音声信号と伝送部２１で分離されたドアホン子器１からの音声信号とを比較し、信号レベルが低い方の音声信号を減衰させることで通話方向（親機２→ドアホン子器１又は親機２←ドアホン子器１）を切り換える音声スイッチの機能を有した音声処理部２５と、液晶ディスプレイ（ＬＣＤ）からなる表示部２６と、ドアホン子器１から送られてくるＦＭ映像信号を復調し表示部２６に映像信号を出力して映像を表示させる映像処理部２７と、通話釦２８ａ（図２参照）の操作によりオンする通話スイッチやモニタ釦２８ｂ（図２参照）の操作によりオンするモニタスイッチを有し、各スイッチがオンしたときにそれぞれ対応する操作信号を制御部２２に出力する操作部２８とを備えてる。
【００１６】
次に本システムの動作を図４のフロー図を参照して説明する。
【００１７】
ドアホン子器１では、呼出検知部１２が呼出釦１２ａの押操作を監視しており（Ｓ１）、呼出検知部１２が呼出釦１２ａの押操作を検知して検知信号を出力すると、伝送部１１から親機２に呼出信号が出力される。また、呼出釦１２ａが押操作されると、指紋検出部１３が呼出釦１２ａを押操作した指の指紋情報を検出し、この指紋情報が伝送部１１から多重化されて送信される（Ｓ２）。親機２では、伝送部２１がドアホン子器１から送信された指紋情報を受信すると、制御部２２が、伝送部２１の受信した指紋情報を記憶部２３に一旦記憶させる（Ｓ３）。ここで、記憶部２３には来客通知を行わない人物の指紋情報を登録した非通知人物データベースが構築されており、訪問者判別部２２ａが、Ｓ３で記憶部２３に記憶させた指紋情報と、非通知人物データベースに登録されている指紋情報との照合を行う（Ｓ４）。
【００１８】
そして、Ｓ４で指紋情報を照合した結果、非通知人物データベースに登録済みの指紋情報と一致すれば、制御部２２は呼出音を鳴動させることなく、処理を終了する。
【００１９】
一方、Ｓ４で指紋情報を照合した結果、非通知人物データベースに登録済みの指紋情報と一致しなければ、制御部２２は、音声処理部２５を制御して来客通知手段としての音声入出力部２４から呼出音を鳴動させると共に（Ｓ６）、伝送部２１を介してドアホン子器１へカメラ部１６の起動信号を出力する。その後、起動信号を受信したドアホン子器１がカメラ部１６を起動し、ドアホン子器１の伝送部１１から親機２へカメラ部１６の映像信号が送信されると、親機２の伝送部２１がドアホン子器１から送信された映像信号を受信し、制御部２２が映像処理部２７を制御して、表示部２６にカメラ部１６が撮影した訪問者Ａの映像を表示させると共に（図３（ａ）参照）、図示しないメモリにカメラ部１６の映像信号を録画させる（Ｓ７）。
【００２０】
また、制御部２２では、呼出音を鳴動させてから所定時間内（例えば３０秒以内）に通話釦２８ａが押動されるか否かを監視しており（Ｓ８）、住戸人が表示部２６の表示を見て呼出に応答しようと判断し、所定時間内に通話釦２８ａを押操作した場合は、伝送部２１を制御してドアホン子器１との間の通話回線を開き（Ｓ９）、ドアホン子器１と親機２との間で音声通話を行わせる。制御部２２では、通話釦２８ａが離されてから所定の通話時間が経過したか否かを監視しており（Ｓ１０）、通話時間が経過すると、ドアホン子器１との間の通話回線を閉じて（Ｓ１１）、音声通話を終了させるとともに、カメラ部１６の映像信号の録画を停止させ（Ｓ１２）、指紋情報登録手段としての制御部２２が、メモリに録画された録画情報と指紋情報とを関連付け、来客通知を行う人物の情報として記憶部２３内に構築された通知人物データベースに追加登録する（Ｓ１３）。
【００２１】
一方、Ｓ８において住戸人が表示部２６の表示を見て、ドアホン子器１の呼出が悪戯によるものだと判断したり、訪問者が応答したくない類の人物だと判断した場合、住戸者は通話釦を押操作せず、所定時間内に通話釦２８ａが押操作されることがないので、制御部２２では、呼出音を鳴動させてから所定時間が経過した時点で、カメラ部１６の映像信号の録画を停止させるとともに（Ｓ１４）、指紋情報登録手段としての制御部２２が、メモリに録画された録画情報と指紋情報とを関連付け、来客通知を行わない人物の情報として記憶部２３の非通知人物データベースに追加登録する（Ｓ１５）。
【００２２】
以上説明したように本実施形態のインターホンシステムでは、訪問者判別部２２ａが、呼出釦１２ａの押操作時に指紋検出部１３が検出した指紋情報と、記憶部２３内の非通知人物データベースに登録されている指紋情報との照合を行い、一致した場合は音声入出力部２４から呼出音を鳴動させないようにしているので、ドアホン子器１からの呼出に応答したくない人物の指紋情報を記憶部２３に登録しておけば、この人物が呼出釦１２ａを押操作したとしても、音声入出力部２４による来客通知を行わせないようにすることができ、ドアホン子器１の呼出釦１２ａを押して逃げる悪戯や、悪質な訪問販売員などに応対することで住戸人が受ける迷惑を低減することができる。また、このシステムではドアホン子器１の呼出釦１２ａに指紋検出部１３を設け、呼出釦１２ａが押操作された際に指紋検出部１３で検出した指紋情報を記憶手段２３に登録しているので、登録対象の人物の指紋情報を別途収集する必要がなく、指紋情報を取得したり登録する手間が簡単で、使い勝手の良いシステムを実現できる。
【００２３】
ところで、上述の実施形態では指紋情報の登録処理を自動的に行っているが、住戸人の登録操作に応じて指紋情報の登録を行うようにしても良い。すなわち、表示部２６にタッチスイッチ付きのＬＣＤを用い、図３（ａ）に示すように訪問者Ａの映像を表示部２６に表示する際に、制御部２２が映像処理部２７を用いて画面中に登録釦Ｂ１を表示させ、住戸人が登録釦Ｂ１の表示位置に触れると、この訪問者Ａの呼出に対して呼出音を鳴動させるか否かを登録する処理を行うようにすれば、来客通知を行わせるか否かを住戸人が容易に変更できる。すなわち、表示部２６に図３（ａ）の画面が表示された状態で住戸人が登録釦Ｂ１の表示部位に触れると、制御部２２が、タッチスイッチからの入力に応じて映像処理部２７を制御し、訪問者が知り合いか他人かを選択させる選択釦Ｂ２，Ｂ３を表示させる（図３（ｂ）参照）。そして、知り合いであることを選択する選択釦Ｂ２の表示部位に住戸人が触れた場合は、制御部２２が、タッチスイッチからの入力に基づいて、訪問者Ａの録画情報と指紋情報とを関連付けて記憶部２３内に構築された通知人物データベースに追加登録する。一方、他人であることを選択する選択釦Ｂ３の表示部位に住戸人が触れた場合は、制御部２２が、タッチスイッチからの入力に基づいて、訪問者Ａの録画情報と指紋情報とを関連付けて記憶部２３内に構築された通知人物データベースに追加登録する。このように住戸人自身が来客通知を行わせるか否かを容易に設定できるので、指紋情報の登録を自動的に行う場合に比べてシステムの使い勝手を向上させることができる。尚、指紋情報の登録が終了した場合には、制御部２２が映像処理部２７を制御して表示部２６の画面中に例えば「登録完了しました」というようなメッセージＭ１を表示させても良く（図３（ｃ）参照）、住戸人に指紋情報が登録されたことを知らしめることができる。
【００２４】
なお本実施形態では、来客通知を禁止する人物の指紋情報を登録した記憶部２３と、指紋検出部１３で検出された指紋情報を記憶部２３に記憶された指紋情報と照合し、一致した場合は来客報知を禁止する訪問者判別部２２ａ（指紋認証手段）とを親機２に設けているが、記憶部２３と訪問者判別部２２ａとをドアホン子器１側に設け、指紋情報が一致した場合は例えば呼出信号を親機２側に送信しないことで、来客報知を行わせないようにしても良い。
【図面の簡単な説明】
【００２５】
【図１】本実施形態のインターホンシステムのブロック構成図である。
【図２】同上のシステム構成図である。
【図３】（ａ）〜（ｃ）はインターホン親機の表示部に表示される画面の例図である。
【図４】同上の動作を説明するフロー図である。
【符号の説明】
【００２６】
１  ドアホン子器
２  インターホン親機
１１  伝送部
１２  呼出検知部（呼出信号検出手段）
１３  指紋検出部
２２  制御部
２２ａ  訪問者判別部（指紋認証手段）
２３  記憶部
２４  音声入出力部（来客通知手段）
【図１】
2008135881.tif 000003
【図２】
2008135881.tif 000004
【図３】
2008135881.tif 000005
【図４】
2008135881.tif 000006